(57)【要約】  内面及びその反対側の外面を備えた外側カバー、前記内面に配置された吸水性集合体、前記外側カバーに配置された不変のキャラクターグラフィック、前記外側カバーに配置された不変の物体グラフィックを備えていることを特徴とする吸収性物品であって、前記不変のキャラクターグラフィックと前記不変の物体グラフィックに双方向的な相互関連性があり、更に少なくとも１つの可変のキャラクターグラフィックを備え、前記可変のキャラクターグラフィックの内容が前記不変のキャラクターグラフィック及び前記不変の物体グラフィックと関連性のあるものであることを特徴とする吸収性物品。尿で濡れると、前記可変のキャラクターグラフィックの明瞭度が著しく向上又は低下する。あるいは、尿で濡れた場合ではなく、周囲環境にさらされた時間が長くなるに伴い、前記可変のキャラクターの明瞭度が著しく向上又は低下する。
2008507377.tif 000002
【特許請求の範囲】
【請求項１】
内面及びその反対側の外面を備えた外側カバー、前記内面に配置された吸水性集合体、前記外側カバーに配置された不変のキャラクターグラフィック、前記外側カバーに配置された不変の物体グラフィックを備えていることを特徴とする吸収性物品であって、前記不変のキャラクターグラフィックが前記不変の物体グラフィックと双方向的な相互関連性があり、少なくとも１つの可変のキャラクターグラフィックを更に備え、前記可変のキャラクターグラフィックの内容が前記不変のキャラクターグラフィック及び前記不変の物体グラフィックと関連性のあるものであることを特徴とする吸収性物品。
【請求項２】
前記不変のキャラクターグラフィックが、前記不変の物体グラフィックを使用する行為に関与しているように描かれており、この不変の物体グラフィックが前記行為の対象である、請求項１に記載の吸収性物品。
【請求項３】
尿にさらされた時に、前記可変のキャラクターグラフィックが著しくより目立つようになる、請求項１に記載の吸収性物品。
【請求項４】
尿ではなく周囲環境にさらされた時に、時間の経過に伴い、前記可変のキャラクターグラフィックが著しくより目立つようになる、請求項１に記載の吸収性物品。
【請求項５】
尿にさらされた時に、前記可変のキャラクターグラフィックが著しくより目立たなくなる、請求項１に記載の吸収性物品。
【請求項６】
尿ではなく周囲環境にさらされた時に、時間の経過に伴い、前記可変のキャラクターが著しくより目立たなくなる、請求項１に記載の吸収性物品。
【請求項７】
濡れた感触のするライナーを更に備え、前記濡れた感触のするライナーは、濡れた感触を示す表示を着用者又は介護人に提供し、前記可変のキャラクターグラフィックは、前記濡れた感触を示す表示を更に視覚的に伝える、請求項１に記載の吸収性物品。
【請求項８】
前記可変のキャラクターグラフィックが別の色に変化し、特定の誘引反応を示す、請求項７に記載の吸収性物品。
【請求項９】
前記可変のキャラクターグラフィックが、アルファベットの仲間、泡の仲間、音符の仲間、ペンキバケツの仲間、鉛筆の仲間、贈り物の仲間、地理書の仲間、及び傘を持っているゴムのアヒルより成る群から選択される、請求項１に記載の吸収性物品。
【請求項１０】
脚部開口部を強調するグラフィック、ウエスト開口部を強調するグラフィック、伸縮性脚バンドを強調するグラフィック、伸縮性ウエストバンドを強調するグラフィック、製品ラベルを強調するグラフィック、注意書き、及びこれらの組み合わせよりなる群から選択される強調グラフィックを含むことを更に特徴とする、請求項１に記載の吸収性物品。
【発明の詳細な説明】
【背景技術】
【０００１】
幼児は、発育の後半段階におむつからトレーニングパンツへ移行し、最終的にはトイレを使用するためのトレーニングを受ける。このようなトレーニングにおいては、両親及び介護人（以下、集合的に「介護人」と言う）がトイレトレーニングのプロセス全体及び必要性を幼児に伝えることは難しい。その結果、介護人及び幼児の双方がストレスを感じてしまう。
【０００２】
トイレトレーニング支援の一環として、現在、おむつの製造会社は、トイレトレーニングを助ける機能を備えた使い捨て吸収性物品を販売している。その一例としては、２００３年１０月２１日にオルソンらに対して発行された米国特許第６，６３５，７９７号（以下「オルソン」という）が挙げられ、前記特許には、濡れていることを示すグラフィックが付いており、対話式のトレーニングを後押しする吸収性物品について記載されている。より詳しくは、Ｏｌｓｏｎ特許の図１を参照すると、不変のキャラクターグラフィック（例えば人間のような表情を浮かべる犬）、不変の物体グラフィック（例えばボート）及び複数の可変の物体グラフィック（例えば人間のような表情を浮かべる魚）を備え、幼児がおむつに排尿してしまいトイレでの排尿に失敗すると魚のグラフィックが消えるなどする吸収性物品が示されている。オルソンの特許では、前記魚が消えると幼児が失望するため、魚が消えた理由を説明する機会を介護人に提供することが述べられている。このような方法において、介護人は、幼児の失敗ではなく、魚が消えたという状況に即してトイレトレーニングプロセスについて説明してもよい。このようなアプローチが有効な幼児もいるが、全ての幼児が、擬人化していない魚が消えることによって行動を変えるほど感情に影響を与えられるわけではない。従って、擬人化していない物体（例えば魚）を使用することによって、双方向的な相互関連性のあるグラフィックのより現実的なシーンを作り出すことを助長するが、トイレトレーニングにおいてはあまり効果が出ない場合がある。
【発明の開示】
【発明が解決しようとする課題】
【０００３】
より影響力の大きいトイレトレーニングを実現するためには、濡れていることを知らせる、擬人化した可変のキャラクターを含むグラフィックを備えた使い捨て吸収性物品が必要になる。
【課題を解決するための手段】
【０００４】
内面及びその反対側の外面を備えた外側カバー、前記内面に配置された吸水性集合体、前記外側カバーに配置された不変のキャラクターグラフィック、前記外側カバーに配置された不変の物体グラフィックを備えていることを特徴とする吸収性物品であって、前記不変のキャラクターグラフィックと前記不変の物体グラフィックに双方向的な相互関連性があり、更に少なくとも１つの可変のキャラクターグラフィックを備え、前記可変のキャラクターグラフィックの内容が前記不変のキャラクターグラフィック及び前記不変の物体グラフィックと関連性のあるものであることを特徴とする吸収性物品。前記不変のキャラクターグラフィックは、前記不変の物体グラフィックを使用する行為に関与しているように描いてもよく、前記の不変の物体グラフィックは、前記行為の対象としてもよい。尿で濡れると、前記可変のキャラクターグラフィックの明瞭度が著しく向上する。あるいは、尿で濡れた場合ではなく、周囲環境にさらされた時間が長くなるに伴い、前記可変のキャラクターグラフィックの明瞭度が著しく向上する。あるいは、尿で濡れると、前記可変のキャラクターグラフィックの明瞭度が著しく低下する。あるいは、尿で濡れた場合ではなく、周囲環境にさらされた時間が長くなるに伴い、前記可変のキャラクターグラフィックの明瞭度が著しく低下する。
【０００５】
前記吸収性物品には、濡れた感触を示す表示を着用者又は介護人に提示する機能を備えた濡れた感触のするライナーを搭載してもよい。前記可変のキャラクターグラフィックによって、濡れた感触を示す表示を更に視覚的に伝えるようにしてもよい。前記可変のキャラクターグラフィックは、別の色に変化し、特定の誘引反応を示すようにしてよい。
【０００６】
その代わりに、内面及びその反対側の外面を備えた外側カバー、前記内面に配置された吸水性集合体、前記外側カバーに配置された不変のグラフィック、および少なくとも１つの可変のキャラクターグラフィックを有する吸収性物品であり、前記可変のキャラクターグラフィックの内容が前記不変のグラフィックと関連性のあるものである。前記不変のキャラクターグラフィックは、不変のキャラクターグラフィックでも、不変の物体グラフィックであってもよい。
【発明を実施するための最良の形態】
【０００７】
本明細書で使用する時、次の用語は次の意味を有する。
【０００８】
本明細書で使用する「可変のグラフィック」とは、現れるグラフィック、消えるグラフィック、又は現れるグラフィックと消えるグラフィックとの組み合わせを指す。
【０００９】
「現れるグラフィック」とは、本明細書では、尿で濡れると表れるか明瞭度が著しく向上するグラフィック、又は尿で濡れた場合ではなく、周囲環境にさらされた時間が長くなるに伴い表れるか明瞭度が著しく向上するグラフィックを指す。
【００１０】
「消えるグラフィック」とは、本明細書では、尿で濡れると消えるか明瞭度が著しく低下するグラフィック、又は尿で濡れた場合ではなく、周囲環境にさらされた時間が長くなるに伴い消えるか明瞭度が著しく低下するグラフィックを指す。
【００１１】
「不変のグラフィック」は、本明細書では、模擬使用条件下で前記吸収性物品を尿に浸した場合、及び前記吸収性物品を周囲環境にさらした場合に、視認性があまり変化しないグラフィックを指す。グラフィック又はグラフィックの一部の視認性の変化は、グラフィックを備えた前記物品を液体にさらされる前及び後に、人がグラフィックを観察した結果に基づいて判断することができる。前記判断を行うには、室温（約２３°Ｃ）で使用される塩化ナトリウムが０．９重量％含まれている水溶液に物品を２０分間完全に浸して、物品を液体にさらす。２０分後、前記物品を水溶液から取り出し、０．６３５ｃｍ（０．２５インチ）の穴があいており、ＴＥＦＬＯＮ（商標）でコーティングが施されている繊維ガラススクリーン（ニューヨーク州ピーターズバーグのＴａｃｏｎｉｃ  Ｐｌａｓｔｉｃｓ  Ｉｎｃ．から市販されている）の上に置き、次に真空箱の上に置いて伸縮ゴムのダム材で覆う。前記真空箱で３．５キロパスカル（０．５ポンド／平方インチ）の真空圧を５分間減圧してから、前記吸収性物品を取り出して観察する。正常視力又は矯正視力が２０／２０の人が、３２０ルクス（３０フートキャンドル）の照度を備えた環境において１ｍの距離から観察する。グラフィックの視認性変化を識別するとともに、必要に応じて、吸水性集合体内の綿毛状パルプなど他の素材の色の変化からも識別する。望ましくは、不変のグラフィックは、液体に浸したり、周囲環境にさらしたときに、グラフィック全体の外観、大きさ、又は色があまり変化しないように構成されることができる。
【００１２】
「キャラクターグラフィック」とは、本明細書では、擬人化したグラフィック、特に人間の形状又は外観を備える、または示唆するグラフィックであって、人間の誘引、特徴、又は行動を無生物の物体、動物、自然現象、まんがのキャラクター、または同様のものとしたグラフィックを指す。
【００１３】
「物体グラフィック」とは、本明細書では、物体を表すグラフィックを指し、このグラフィックには無生物の物体または英数字（文字の「Ｊ」、数字の「３」など）を含むことができる。
【００１４】
「双方向的な相互関連性がある」とは、前記キャラクターグラフィックが、ある行為または行動に関与している、または実行しており、前記物体グラフィックが、この行為または行動の対象であるか、あるいは関連性があることを指す。
【００１５】
「内容に関連性がある」とは、１つのグラフィックの内容が別のグラフィックと同一であるか、別のグラフィックの内容と関連性があることを指す。内容の関連性は、２つ以上のテキストメッセージ、２つ以上の画像、又は１つ以上のテキストメッセージと１つ以上の画像との組み合わせのいずれかにおける関連性にすることができる。例えば、２つの画像の内容に関連性があると見なされるのは、画像が同一の場合、共通の物体をそれぞれ異なる大きさ、形、色で表す場合、一般的に相互に関連性を持つ２つの物体（月と星、水域と水を使用するおもちゃ、砂場と好適なおもちゃ、野球用バットとベイル、家畜小屋と動物など）をそれぞれ描いている場合、特定の行為（スポーツ行為、園芸行為など）で使用する異なるアイテムを描いている場合、幾何学的に接合する要素（三角形と三角形の開口、又はファスナの各片）を一緒に描いている場合、複数部分に分かれる画像の１部分をそれぞれ描いている場合などである。同様に、２つのテキストメッセージの内容に関連性があると見なされるのは、同一の場合、１つの文、考え、又は行為（「ジャンプ」と「アップ」）を一緒に構成させている場合、一般的に相互に関連付けられている２つの事項（「バット」と「ベイル」、「大きい」と「子供」、「大きい」と「少女」、又は「大きい」と「少年」）をそれぞれ指している場合、質問と答えを一緒に表している場合などである。同様に、テキストメッセージ及び画像は、テキストによって画像の名称を付けたり、定義したり、または説明したりしているなどの場合、内容に関連性があると見なされる。
【００１６】
「テキストメッセージ」とは、１つ以上の英数字より成るグラフィックを意味する。
【００１７】
「画像」とは、１つ以上の画像より成るグラフィックを意味する。
【００１８】
「グラフィック」とは、本明細書では、任意のデザイン、パターンなど吸収性物品に表示されるか現れるかするものを意味し、特に１つ以上の英数字、１つ以上の画像、又はこれらの組み合わせより成るテキストメッセージが含まれる。
【００１９】
「液体伝達性」とは、尿などの液体が１つの層又は要素から別の層又は要素に移動できることを意味する。
【００２０】
「透水性」及び「非透水性」とは、本明細書では、使い捨て吸収性物品の想定用途に関する材料の浸透性を意味する。特に、「透水性」とは、押し付け圧力をかけなくても液体水が層又は層状構造体をその厚み方向に貫通できるようにする孔、開口部、及び／又は結合された空隙を有する層又は層状構造体を指す。逆に、用語「非透水性」は、押しつける圧力がないときに液体水がその厚み方向に貫通できない層又は層状構造体を指す。この定義による非透水性の層又は層状構造体には、水蒸気に対する透過性を備えている、つまり「水蒸気透過性」を備えさせてもよい。当該技術分野で周知のように、吸収性物品で通常使用される物質の透水性を測定する一般的な方法は、水圧試験（水圧ヘッド試験又は単純に「ハイドロヘッド」試験ともいう）である。ハイドロヘッド試験に適した周知の簡潔な方法は、ＩＮＤＡ（元国際不織布協会、現在の米国不織布工業会）及びＥＤＡＮＡ（欧州不織布協会）によって承認されている。
【００２１】
「吸収性物品」とは、液体を吸収及び収容する装置を指し、より具体的には、着用者の身体に接触又は近接するように配置して、身体から排泄されるさまざまな排出物を吸収及び収容する装置を指す。
【００２２】
「使い捨て」とは、本明細書では、通常洗濯又は別の方法で吸収性物品として復元又は再利用することを想定していない（すなわち、１回使用した後に廃棄、好ましくはリサイクル、堆肥化、又は環境に適合する方法で処理することを前提としている）吸収性物品を説明するために使用する。
【００２３】
本明細書で使用する時、「パンツ」とは、幼児又は成人の着用者のために設計されたウエスト開口部及び脚部開口部を備えた使い捨て吸収性物品を指す。パンツは、着用者の脚を脚部開口部に挿入して、パンツを着用者の胴体下部周辺の位置へと滑らせることによって、着用者の定位置に配置する。パンツは、物品の一部を再締結可能及び／又は再締結不可能な接合部材（例えば、縫い目、溶接、接着剤、粘着性接合材、締結具等）を用いて互いに接合させるなどのいずれかの好適な技術によって、事前に形成させてもよい。パンツは、物品の周囲に沿ったいずれかの場所に事前に形成させてもよい（例えば、側面固定、前部ウエスト固定）。本明細書では「パンツ」と言う用語を使用するが、一般的に、パンツは「閉じられた状態のおむつ」、「予め固定されているおむつ」、「プルオンおむつ」も指す。好適なトレーニングパンツは、米国特許第５，２４６、４３３号（Ｈａｓｓｅら、１９９３年９月２１日発行）、米国特許第５，５６９，２３４号（Ｂｕｅｌｌら、１９９６年１０月２９日発行）、米国特許第６，１２０，４８７号（Ａｓｈｔｏｎ、２０００年９月１９日発行）、米国特許第６，１２０，４８９号（Ｊｏｈｎｓｏｎら、２０００年９月１９日発行）、米国特許第４，９４０，４６４号（Ｖａｎ  Ｇｏｍｐｅｌら、１９９０年７月１０日発行）、米国特許第５，０９２，８６１号（Ｎｏｍｕｒａら、１９９２年３月３日発行）、米国特許出願申請第１０／１７１，２４９号「非常に可撓性で低変形性の固着装置（Ｈｉｇｈｌｙ  Ｆｌｅｘｉｂｌｅ  ａｎｄ  Ｌｏｗ  Ｄｅｆｏｒｍａｔｉｏｎ  Ｆａｓｔｅｎｉｎｇ  Ｄｅｖｉｃｅ）」（Ｋｌｉｎｅら、２００２年６月１３日申請）、米国特許第５，８９７，５４５号（Ｋｌｉｎｅら、１９９９年４月２７日発行）、米国特許第５，９５７，９０８号（Ｋｌｉｎｅら、１９９９年９月２８日発行）に開示されており、それぞれの開示内容を参考として本明細書に組み入れる。
【００２４】
「トレーニングパンツ」とは、トイレトレーニング機能を提供するパンツである。
【００２５】
「長手方向」とは、物品の最大直線寸法に平行に走る方向であり、長手方向±４５°以内の方向も含まれる。
【００２６】
「横」又は「横断」方向とは、長手方向に直交する方向である。
【００２７】
「Ｚ方向」とは、長手方向と横断方向の両方向に直交する方向である。
【００２８】
「Ｘ−Ｙ平面」とは、長手方向及び横断方向と合致する平面を指す。
【００２９】
「配置する」とは、ある要素を他の要素と共に一体構造体として、又は他の要素に接合した別個の要素として、特定の場所又は位置に形成させる（接合して位置を定める）ことを意味するために使用する。
【００３０】
「結合」には、ある要素を他の要素に直接固定させることによってその要素をもう１つの要素に直接固定する構成と、１つの要素を中間部材に固定させて次に中間部材を他の要素に固定させることにそってその要素をもう１つの要素に間接的に固定する構成が包含される。
【００３１】
「一体型」吸収性物品とは、個別のパーツを互いに合体させて組織的な構成体を形成させ、個別のホルダー及びライナーといった個別の操作パーツが必要にならないようにした吸収性物品を指す。
【００３２】
「おむつ」とは、一般に幼児及び失禁症者が胴体下部の周りに着用する吸収性物品を指す。
【００３３】
「近位」及び「遠位」はそれぞれ、構造体の中央に近い要素又は遠い要素の位置を指し、例えば、長手方向に伸びる要素の近位縁は、前記長手方向軸と交差する方向に配置された前記要素の遠位縁よりも、長手方向軸線の近くに配置されている。
【００３４】
本発明の原理は、おむつ、トレーニングパンツ、失禁用製品、おむつパンツ、使い捨ての下着などさまざまな吸収性物品に組み込むことができる。本発明は、トイレトレーニグを後押しするトレーニングパンツ又はおむつパンツに使用するのに特に適している。説明を簡略化するために、以降は、幼児のトレーニングパンツについて説明する。
【００３５】
本明細書は、本発明を特に指摘し、明確に請求する特許請求の範囲をもって結論とするが、本発明については、添付の明細書と併せて以下の図面を通じて、さらに理解が深まると考えられる。本明細書では構成要素に図面と同じ参照番号を付してある。
【００３６】
トレーニングパンツ２０については、完全に組み立てた状態が図１および図２に、部分的に分解してから伸ばして平らに置いた状態が図３に示されている。トレーニングパンツ２０には、第１（正面）のウェスト部２２、第２（背部）のウエスト部２４、正面のウエスト部と背部のウエスト部の間に配置されて前記２つの部分を相互に連結させる股部２６、着用者と接触する構成になっている内面２８、及び着用者の衣服と接触する構成になっているとともに、内面の反対側に位置している外面３０が備わっている。図示したトレーニングパンツ２０には、吸水性シャーシ３２及び左右に配置されている複数の側面パネル３４も備わっている。吸水性シャーシ３２及び側面パネル３４は、図のように２つ以上の個別の要素を一体形成させるか含めるかすることによって形成させることができる。
【００３７】
図３では、トレーニングパンツ２０に、長手方向中心線３６、横断方向中心線３８、第１（正面）の長手方向末端部５６、及び第２（背部）の長手方向末端部５８が描かれている。第１のウエスト部２２は第１の長手方向末端部５６と接しており、第２のウエスト部２４は第２の長手方向末端部５８と接している。この吸収性物品は、長手方向が横断方向よりも長くなっている。図示した吸水性シャーシ３２には、外側カバー４０及びこの外側カバーと重なった状態で連結されている身体側ライナーが備わっている。吸水性シャーシ３２には、外側カバーと身体側ライナーの間に配置された吸水性集合体４４も備わっている。吸水性シャーシ３２は、着用者から排出される体の排出物を収容する及び／又は吸収する構成になっている。さらに、一対の密閉フラップ（図示なし）を前記吸水性シャーシに結合させてもよい。
【００３８】
図１及び図２に示したように、完全に組み立てた状態のトレーニングパンツ２０では、正面のウェスト部２２及び背部のウエスト部２４を側面の縫い目４６によって結合して、ウエスト開口部及び一対の脚部開口部を形成させている。正面のウエスト部２２には、着用時に着用者の正面側に来るトレーニングパンツ２０の部分が含まれている。一方、背部のウエスト部２２には、着用時に着用者の背部に来るトレーニングパンツ２０の部分が含まれている。トレーニングパンツ２０の股部２６には、着用時に着用者の脚部の間に来て、股下部を覆うトレーニングパンツの部分が含まれている。側面パネル３４には、着用時に着用者の腰側面に来るトレーニングパンツ２０の部分が含まれている。トレーニングパンツ２０の長手方向末端部５６及び５８は、着用時に着用者のウエストを囲んで、ウエスト開口部５０を形成させる構成になっている。
【００３９】
外側カバー４０には、トレーニングパンツの外側カバー３０に対応する外面及びその反対側の内面が備わっている。外側カバー４０は、実質的に液体不透過性の材料から構成されているのが望ましい。外側カバー４０は、液体不透過性の材料より成る単一層でも良いが、少なくとも１つが液体不透過層である多層の積層構造から構成されているのが望ましい。例えば、外側カバー４０には、積層接着剤（図示なし）によって適切に結合させた１つの液体不透過外層及び１つの液体不透過内層を含めることができる。しずく状、スプレー状、平行な渦巻き線状の形状で継続的に又は断続的に塗布できる好適な積層粘着剤は、ウィスコンシン州ウォーワトサのＦｉｎｄｌｅｙ  Ａｄｈｅｓｉｖｅｓ  Ｉｎｃ．又はニュージャージー州ブリッジウォーターのＮａｔｉｏｎａｌ  Ｓｔａｒｃｈ  ａｎｄ  Ｃｈｅｍｉｃａｌ  Ｃｏｍｐａｎｙから入手できる。液体不透過外層は、任意の好適な材料でもよいが、望ましくは一般に布に近い質感を備えた材料である。このような材料の１例としては、２０ｇｓｍ（平方メートルあたりのグラム数）のポリプロピレンスパンボンド不織布が挙げられる。前記外層は、液体不透過性の身体側ライナー４２を構成する材料と同じ材料で構成させることもできる。前記外層は液体不透過である必要はないが、比較的布に近い質感を着用者に提供することが望ましい。
【００４０】
外側カバー４０の内層には、液体不透過性及び蒸気不透過性の双方を備えさせるか、液体不透過性、蒸気不透過性のいずれかを備えさせることができる。この内層には、その他の柔軟性に富む液体不透過材も使用できるが、薄いプラスチックフィルムから作るのが望ましい。この内層又は単層の場合の液体不透過性外側カバー４０は、ベッドシーツ、洋服などの物品、及び着用者、介護人が排泄物で濡れないようにする。外側カバー４０が単層の材料の場合、エンボス加工及び／又はつや消し仕上げを施して、布に近い外観を提供することができる。前述したとおり、液体不透過材は使い捨て吸収性物品の内側から蒸気を逃すことができるが、液体が外側カバー４０を貫通するのを防ぐ。好適な「通気性」材料は、ミクロ孔質ポリマーフィルム、又は防水加工された又は望ましい液体不透過レベルが実現するように処理された不織布から構成される。好適なミクロ孔質フィルムは、日本の東京の三井東圧化学株式会社から市販されているＰＭＰ‐１フィルム材又はミネソタ州ミネアポリスの３Ｍ  Ｃｏｍｐａｎｙから市販されているＸＫＯ‐８０４４ポリオレフィンフィルムである。
【００４１】
液体不透過性内層、又は単一層の液体不透過性外側カバー４０として使用されるもう１つの好適な液体不透過性フィルムは、ニュージャージー州サウス・プレーンフィールドのＥｄｉｓｏｎ  Ｐｌａｓｔｉｃｓ  Ｃｏｍｐａｎｙから市販されている０．０２５ミリメートル（１．０ミル）のポリエチレンフィルムである。好ましい実施形態では、液体不透過性フィルムに、不織布の積層及び厚さ約０．０１２ｍｍ（０．５ミル）〜約０．０５１ｍｍ（２．０ミル）の熱可塑性フィルムなどの薄いプラスチックフィルムが含まれている。好適な液体不透過性フィルムとしては、インディアナ州テレホートのＴｒｅｄｅｇａｒ  Ｉｎｄｕｓｔｒｉｅｓ  Ｉｎｃ．製のＸ１５３０６、Ｘ１０９６２、Ｘ１０９６４という名称で販売されている液体不透過性フィルムが挙げられる。その他の好適な液体不透過性フィルムとしては、液体不透過性フィルムから蒸気を逃しつつ、液体が液体不透過性フィルムを貫通するのを防ぐ通気性材料を挙げることができる。代表的な通気性材料としては、織布ウェブ、不織布ウェブ、フィルムコーティング不織布ウェブなどの複合材、並びにＥＳＰＯＩＲ  ＮＯの名称で日本の三井東圧株式会社により製造されているミクロ孔質フィルム及びＥＸＸＡＩＲＥの名称でテキサス州ベイシティーのＥＸＸＯＮ  Ｃｈｅｍｉｃａｌ  Ｃｏ．により製造されているようなミクロ孔質フィルムなどの材料を挙げることができる。ポリマーブレンドを含む好適な通気性複合材は、ＨＹＴＲＥＬブレンドＰ１８‐３０９７の名称でオハイオ州シンシナティのＣｌｏｐａｙ  Ｃｏｒｐｏｒａｔｉｏｎが販売している。このような通気性複合材については、Ｅ．  Ｉ．  Ｄｕｐｏｎｔの名のもと１９９５年６月２２日に公開されたＰＣＴ国際公開特許ＷＯ９５／１６，７４６号、及びＣｕｒｒｏの名のもと１９９６年１１月６日に申請された同時係属中の米国特許出願番号０８／７４４，４８７号により詳細に記載されている。不織布ウェブ及び有孔フィルムを含むその他の液体不透過通気性フィルムは、１９９６年１１月５日にＤｏｂｒｉｎらに発行された米国特許第５，５７１，０９６号に記載されている。例となる好適な液体不透過性フィルムは、２０００年８月２２日にＥｌｄｅｒらに発行された米国特許第６，１０７，５３７号「皮膚を健康にする使い捨ての吸収製品」に公開されている。その他の好適な材料及び／又は製造技術を使用して好適な液体不透過性フィルムを実現できるが、こういった技術としては、表面処理、特定フィルムの選択と処理、及び特定フィランメントの選択と処理などが挙げられるが、これらに限定されない。これらの参考文献の各々は本明細書に参考として組み込まれている。
【００４２】
図１〜３に示したように、トレーニングパンツ２０、とりわけ外側カバー４０には、外観と関連性のある構成要素が１つ以上含まれている。外観と関連性のある構成要素の例としては、ユーザーに対して製品の形状を一層明確化又は表示するために脚及びウエストの開口部を強調させるグラフィック、伸縮性脚バンドや伸縮性ウエストバンドなどの機能上の構成要素を模すために製品の領域を強調させるグラフィック、製品サイズの体裁を変えるために製品の領域を強調させるグラフィック、濡れていることを伝える表示や温度表示及び製品に含まれる同種のものを記したもの、製品の背部ラベル又は正面ラベルを記したもの、製品の望ましい場所に記載された注意事項を記したものなどが挙げられるが、これらに限定されない。
【００４３】
図示したトレーニングパンツ２０には、濡れていることを示す双方向的なグラフィックなど、外側カバーの表示グラフィックが配置されている。より詳しくは、前記トレーニングパンツには、人間のような表情を浮かべ、歯磨きをしているＥｌｍｏ（商標）の形をした不変のキャラクターグラフィック７０、歯ブラシの形をした不変の物体グラフィック７２、アルファベット（文字の「Ｃ」など）の形をした不変の物体グラフィック７４、及び泡の形をした不変の物体グラフィック７６、アルファベットの仲間のグラフィックである複数の可変の物体グラフィック７８を含む。外側カバーグラフィックには、伸縮性模擬ウエストバンド８０及び伸縮性模擬脚バンドが含まれており、いずれも不変のグラフィックにすることができる。
【００４４】
可変のキャラクターグラフィック７８は外側カバー４０の内面に配置でき、外側カバーの外面から見ることができる。可変のキャラクターグラフィック７８は、吸水性集合体４４との液体伝達性を備えている。つまり、通常の使用条件において、尿などの液体は可変のキャラクターグラフィックと吸水性集合体の間を移動できる。
【００４５】
幼児がトレーニングパンツ２０を濡らすと、液体が可変のキャラクターグラフィック７８に伝わり、その結果、すぐにキャラクターグラフィックが消える、前記グラフィックの色が変わる、前記グラフィックが表示されるなどする。この効果については図４に描かれており、尿に接触するとキャラクターグラフィック７８が消える状況が示されている。現れるグラフィックを採用する場合は逆の状況が発生し、液体にさらされることによって、トレーニングパンツの外見は図４から図１へと変化する。あるいは、可変のキャラクターグラフィック７８には、使用時に周囲環境にさらされることを誘引とする、現れるグラフィックを含むこともできる。
【００４６】
図５〜１１に、本発明の代表的かつ非限定的な追加の実施形態を示す。さらに具体的には、図５ａにはヨット（不変の物体グラフィック１１０）と入浴するＥｌｍｏ（商標）（不変のキャラクターグラフィック１００）、ならびに内容に関連性のある泡の仲間のグラフィック（可変のキャラクターグラフィック１２０）が示されている。この場合、介護人は「Ｅｌｍｏは泡の仲間とお風呂に入っているの。泡の仲間が消えたり、どこかに行ってしまったりしないように、トイレに行きたくなったら教えてね。」と言うことができる。図５ｂには、例として、図５ａのトレーニングパンツの背面斜視図を示してある。
【００４７】
図６ａには、ドラム（不変の物体グラフィック２１０）を演奏するＥｌｍｏ（商標）（不変のキャラクターグラフィック２００）及び内容に関連性のある音符の仲間（可変のキャラクターグラフィック２２０）が示されている。この場合、介護人は「Ｅｌｍｏは音符の仲間と音楽を演奏しているの。音符の仲間が消えたり、どこかに行ってしまったりしないように、トイレに行きたくなったら教えてね。」と言うことができる。図６ｂには、例として、図６ａのトレーニングパンツの背面斜視図を示してある。
【００４８】
図７ａには本（不変の物体グラフィック３１０）を読んでいるＥｌｍｏ（商標）とＣｏｏｋｉｅ  Ｍｏｎｓｔｅｒ（商標）（不変のキャラクターグラフィック３００）、ならびに内容に関連性のあるアルファベットの仲間（可変のキャラクターグラフィック３２０）が示されている。この場合、介護人は「ＥｌｍｏとＣｏｏｋｉｅはアルファベットの仲間と楽しく本を読んでいるの。アルファベットの仲間が消えたり、どこかに行ってしまったりしないように、トイレに行きたくなったら教えてね。」と言うことができる。図７ｂには、例として、図７ａのトレーニングパンツの背面斜視図を示してある。
【００４９】
図８ａにはペンキバケツ（不変の物体グラフィック４１０）を使って絵を描いているＥｌｍｏ（商標）とＺｏｅ（商標）（不変のキャラクターグラフィック４００）、ならびに内容に関連性のあるペンキバケツの仲間（可変のキャラクターグラフィック４２０）が示されている。この場合、介護人は「ＥｌｍｏとＺｏｅとペンキバケツの仲間は楽しくお絵かきしているの。ペンキバケツの仲間が消えたり、どこかに行ってしまったりしないようにトイレに行きたくなったら教えてね。」と言うことができる。図８ｂには、例として、図８ａのトレーニングパンツの背面斜視図を示してある。
【００５０】
図９ａには学校用のリュックサック（不変の物体グラフィック５１０）を背負っているＥｌｍｏ（商標）（不変のキャラクターグラフィック５００）及び内容に関連性のある鉛筆の仲間（可変のキャラクターグラフィック５２０）が示されている。この場合、介護人は「Ｅｌｍｏと鉛筆の仲間は学校に向かって歩いているの。鉛筆の仲間が消えたり、どこかに行ってしまったりしないようにトイレに行きたくなったら教えてね」と言うことができる。図９ｂには、例として、図９ａのトレーニングパンツの背面斜視図を示してある。
【００５１】
図１０ａには誕生日の贈り物（不変の物体グラフィック６１０）を開けているＥｌｍｏ（商標）とＺｏｅ（商標）（不変のキャラクターグラフィック６００）、ならびに内容に関連性のある贈り物の仲間（可変のキャラクターグラフィック６２０）が示されている。この場合、介護人は「ＥｌｍｏとＺｏｅが贈り物の仲間とパーティを楽しめるようにお漏らししないでね。」と言うことができる。図１０ｂには、例として、図１０ａのトレーニングパンツの背面斜視図を示してある。
【００５２】
図１１ａには地球儀（不変の物体グラフィック７１０）を眺めているＥｌｍｏ（商標）とＢｉｇ  Ｂｉｒｄ（商標）（不変のキャラクターグラフィック７００）、ならびに内容に関連性のある地理書の仲間（可変のキャラクターグラフィック７２０）が示されている。この場合、介護人は「ＥｌｍｏとＢｉｇ  Ｂｉｒｄとが地理書の仲間と世界のお勉強ができるようにお漏らししないでね」と言うことができる。図１１ｂには、例として、図１１ａのトレーニングパンツの背面斜視図を示してある。
【００５３】
対象トレーニングパンツの一般構成に関する考察
Ａ．グラフィック全般
前記吸収性物品のグラフィックは、内容に筋書きと関連性のある可変のキャラクターグラフィックに加えて、不変のキャラクターグラフィック及び不変の物体グラフィックと関連のある筋書きを備えた構成にすることができる。
【００５４】
理想的には、この不変のキャラクターグラフィックは、子供の下着に好適であり、幼児がパンツを着用しておまる又はトイレを使用する動機となるように使用できる。前記目的のために、この不変のキャラクターグラフィックは、メディアや広告で使われていたり、特定の文化圏でよく知られていたりするキャラクターと関連のあるものにすることができる。理想的には、幼児又は介護人が感心を向け、親近感を持てるキャラクターである。理想的には、自分がこの不変のキャラクターグラフィックになった時のことを幼児が想像できるようなキャラクターである。
【００５５】
前記可変のキャラクターグラフィックは、トイレトレーニングを受ける動機を幼児に与えるのに有用な場合がある。この可変のキャラクターグラフィックは、トイレトレーニング中に使用する対話的なトレーニング要素を両親及び介護人に与えることもできる。可変のキャラクターグラフィックを採用することで、幼児がお漏らしをしてパンツを濡らしてしまった時に、幼児と介護人が威圧的な雰囲気を発生させることなく穏やかなコミュニケーションを取る後押しをする。この可変のキャラクターグラフィックは、幼児が責められたり恥ずかしい思いをしないようにするとともに、幼児にお漏らしをしないで欲しいという希望を伝えるために介護人が使用できる第３者的な存在である。介護人が第３者について話しているように見えると、幼児が非難を受け入れやすいことがある。失敗について幼児と対峙する必要がないので、介護人のストレスが減る可能性もある。
【００５６】
従来の一部のアプローチでは、擬人化していない消える魚を可変の物体グラフィックとして採用して、双方向的な相互関連性のあるグラフィックによって、より現実的なシーンを作り出していたが、トイレトレーニングでは可変のキャラクターグラフィック（擬人化したグラフィック）の方が効果が高いと考えられる。理論に制限されることを望まないが、幼児が最初に多くの注意を払うのは擬人化した物体であると考えられる。擬人化した物体が本当の意味ではシーン（顔を持つお風呂の泡）固有のものではなく、ある意味Ｍｕｐｐｅｔ（登録商標）化しているからである。従って、これらの物体が消える（又は現れる）と一層の影響力があり、トイレトレーニングにおける効果が増大する。
【００５７】
Ｂ．インク
尿に溶けやすい好適なインクは、ＡＱＵＡ  ＤＥＳＴＲＵＣＴの名称でペンシルベニア州フィラデルフィアのＳｕｎ  Ｃｈｅｍｉｃａｌ  Ｃｏｒｐ．から販売されているインクなど、さまざまな民間製造業者から提供されている。特に尿に溶けやすい成分は、１９７７年５月１０日Ｔｉｍｍｏｎｓらに発行された米国特許第４，０２２，２１１号に公開されており、この特許は本明細書に参考として組み込まれている。インクの色は、好ましい外観、ならびに液体に接触すると迅速に消えるといったグラフィックに対する効果が実現されるように選択することができる。より迅速に消えるようにするために、消えるグラフィックには、線幅約１〜２ミリメートルの線画を含むことができる。
【００５８】
可変のグラフィックにも、尿などの水溶液にさらされると色が変わるインク又は粘着剤などの成分より成る、消えるグラフィック又は現れるグラフィックを含むことができる。色を変化させる成分は、水溶液にさらされる前又は後のいずれかに、背景色又は周囲の色に溶け込む構成にすることができる。この色が変化するタイプの好適な成分は、ウィスコンシン州ウォーワトサのＦｉｎｄｌｅｙ  Ａｄｈｅｓｉｖｅｓ，  Ｉｎｃ．から提供されている、ｐＨ／色が変化するホットメルト接着剤など、さまざまな民間製造業者から提供されている。あるいは、この可変のグラフィックはｐＨ感受性インク、退色インク、色付きの吸水性粒子、含水塩、感湿フィルム、酵素、感熱インク、感熱色素などを含むことができる。消えるグラフィックは、外側カバーの外面において、単に視界から消えるようにすることが可能である。例えば、消えるグラフィックは不変の背面グラフィックだけ残して消えるようにすることが可能である。前記可変のグラフィックは、周囲環境にさらされた時間が長くなるに伴い現れる構成にすることも可能である。特に、この可変のグラフィックは、期間、温度レベル、酸素レベルなどや、これらの組み合わせに対して反応するようにすることが可能である。特定の条件に反応して時間の経過に伴い現れるさまざまな表示は、米国特許第５，０５８，０８８号（Ｈａａｓら、１９９１年１０月１５日発行）、米国特許第５，０５３，３３９号（Ｐａｔｅｌ、１９９１年１０月１日発行）、米国特許第５，０４５，２８３号（Ｐａｔｅｌ、１９９１年９月３日発行）、米国特許第４，９８７，８４９（Ｓｈｅｒｍａｎ、１９９１年１月２９日）、米国特許第４，９０３，２５４号（Ｈａａｓ、１９９０年２月２０日発行）、米国特許第４，８１２，０５３号（Ｂｈａｔｔａｃｈａｒｊｅｅ、１９９９年３月１４日発行）、米国特許第４，２９２，９１６号（Ｂｒａｄｌｅｙら、１９８１年１０月６日発行）に公開されており、これらすべての開示は参考として本明細書に組み入れる。時間の経過に伴い現れる可変のグラフィックは、使用が開始される時、あるいは製品に不可欠な構成要素として形成される時に、製品に適用してもよい。
【００５９】
使用時に幼児がお漏らしをして尿が可変のグラフィックに接触すると、この可変のグラフィックは現れる又は消えるようにすることができる。望ましくは、この可変のグラフィックは、吸収性物品が２００ミリリットル以上の尿、より望ましくは４０〜６０ミリリットルの尿を受容すると、３分以内、とりわけ１分以内、より望ましくは２０秒以内に現れる、又は消える。
【００６０】
この可変のグラフィックが消えるグラフィックの場合、トレーニングの機会は、内容に関連性のあるグラフィックが消えてしまい筋書きが変わったことから得られる。この可変のキャラクターグラフィックが表示されなくなり、筋書きが変わってしまうため、幼児がわずかな失望感を感じる可能性がある。この設計手法は、幼児がお漏らしをしなければ、幼児自らの力で筋書きが変わらないようにできることを幼児に教える動機付けとして使用できる。
【００６１】
消えるグラフィックとは対照的に、この可変のグラフィックが現れるグラフィックである場合、介護人は、新しいグラフィックがご褒美として現れることを説明できるため、トレーニングの機会を得られる。つまり、より前向きな手法を取ることができる。例えば、この可変のグラフィックは時間の経過に伴い現れる構成にすることができ、小児がお漏らしをしなかったご褒美としてグラフィックが現れると捉えてよい。この場合は、トイレトレーニングの待ち時間を識別するツールとして使用できる。例えば、幼児がお漏らしをしないで１時間を経過する度など、可変のグラフィックが時間の経過に伴い現れる場合、介護人は「まあ、なんてお利口さんなんでしょう。２時間もお漏らしをしていませんよ。」と言うことができる。この可変のグラフィックは、明るい色及び／又は濃い色に変化するようにすることもできる。例としては、黄色又は黄褐色など非常に薄い色で輪郭を描き、色付けしたキャラクターグラフィックが、尿と接触すると鮮やかな赤、緑及び／又は青色に変わるようにすることができる。あるいは、可変のグラフィックの輪郭のみが表示され、時間が経過するか、尿に接触するかすると、パターン又は無地が現れるようにすることができる。例えば、可変のグラフィックとしては、尿がパーティの補助柄に接触すると、尿が染み込んでパーティの補助柄の輪郭が無色になるものが挙げられる。
【００６２】
Ｃ．吸水性集合体
前記液体不透過性の身体側ライナー４２は通常、外側カバー４０及び吸水性集合体４４を覆っている。この身体側ライナーは外側カバーと同じ寸法にすることができるが、必ずしも同じ寸法である必要はない。身体側ライナー４２は、望ましくは、柔軟で優しい肌触りのものであり、幼児の肌に違和感を与えないものである。更に、身体側ライナー４２は、着用者に比較的乾いた表面を提供し、液体がただちにその厚さ方向に浸透できるよう、吸水性集合体４４よりも親水性を低くすることができる。
【００６３】
身体側ライナー４２は、合成繊維（例えば、ポリエステル繊維又ポリプロピレン繊維）、天然繊維（例えば、木質繊維又は綿繊維）、天然繊維と合成繊維との混合物、多孔質発泡体、網状発泡体、有孔プラスチックなど、広範な種類のウェブ材料から製造できる。身体側ライナー４２には、さまざまな織布及び不織布を使用できる。例えば、前記身体側ライナーは、ポリオレフィン系繊維のメルトブローンウェブ又はスパンボンドウェブで構成できる。前記身体側ライナーは、天然繊維及び／又は合成繊維によって構成される接合梳毛ウェブにすることもできる。前記身体側ライナーは、非常に疎水性の高い材料で構成することができ、疎水性の高い前記材料は、任意に応じて界面活性剤で処理を施してもよい。あるいは、望ましいレベルの湿潤性及び親水性が備わるように処理を施してもよい。例えば、この材料は、ＴｒｉｔｏｎＸ‐１０２の名称でＲｏｈｍ  ａｎｄ  Ｈａａｓ  Ｃｏ．から市販されている０．２８重量パーセントの界面活性剤で表面処理を施すことができる。この界面活性剤は、噴霧、印刷、はけ塗りといった任意の従来の方法で塗布することができる。この界面活性剤は、身体側ライナー４２の全体に適用できる。あるいは長手方向中心線に沿った中央部分など身体側ライナーの特定部分に選択的に適用することもできる。その他の当該疎水処理としては、表面疎水コーティング（２００４年２月１１日に申請された同時係属中の米国特許出願第６０／５４３，７８５号「表面疎水コーティングを施された吸収性物品及びそれに伴う方法（Ｈｙｄｒｏｐｈｏｂｉｃ  Ｓｕｒｆａｃｅ  Ｃｏａｔｅｄ  Ａｂｓｏｒｂｅｎｔ  Ａｒｔｉｃｌｅｓ  Ａｎｄ  Ａｓｓｏｃｉａｔｅｄ  Ｍｅｔｈｏｄｓ）」）など）及びフルオロ処理（２００３年１１月７日に申請された同時係属中の米国特許出願第１０／７０３，２３９号「遮蔽トップシートを有する使い捨て吸収性物品（Ｄｉｓｐｏｓａｂｌｅ  Ａｂｓｏｒｂｅｎｔ  Ａｒｔｉｃｌｅｓ  Ｗｉｔｈ  Ｍａｓｋｉｎｇ  Ｔｏｐｓｈｅｅｔ）」など）の適用が挙げられるが、これらに限定されない。
【００６４】
好適な液体不透過性の身体側ライナー４２は坪量約２７ｇｓｍの不織布複合ウェブである。不織布複合物は、スパンボンド複合ウェブ又は接合梳毛の複合ウェブでもよい。好適な複合人工繊維としては、日本の大阪のチッソ株式会社から販売されているポリエチレン／ポリプロピレン複合繊維が挙げられる。この特定の複合繊維においては、ポリプロピレンはコアを形成し、ポリエチレンは繊維の鞘を形成している。マルチローブ、並列、両端などその他の繊維配列も可能である。
【００６５】
吸水性集合体４４（図３）は、外側カバー４０と身体側ライナー４２との間に配置され、これらの構成要素は当該技術で周知の接着剤などの好適な手段によって結合できる。吸水性集合体４４は、一般的に圧縮性のある標準的な、幼児の皮膚に違和感のない任意の構造を取ることができ、液体及び特定の体内の老廃物を吸収して保持できる。吸水性集合体４４は、さまざまな大きさ及び形状で、当業者によって一般に使用される広範な液体吸収材によって製造できる。
【００６６】
一部の実施形態においては、吸水性集合体（コア）は、使い捨ておむつに一般的に使用される広範な液体吸収材及び一般的に空気のような感触と言われる粉砕ウッドパルプなどその他の吸収性物品より成ることがある。その他の好適な吸収性材料の例としては、クレープセルロースワッディング、メルトブローポリマー（コフォームなど）、化学硬化、化学修飾、又は化学架橋を施したセルロース繊維、ティッシュ（ティッシュラップ、ティッシュラミネートなど）、吸収性発泡体、吸収性スポンジ、超吸収性ポリマー、吸収性ゲル化材、もしくはその他のいかなる既知の吸収材又はこれらの材料の混合物などが挙げられる。吸収性集合体として使用される代表的な吸収性構造は、米国特許第４，６１０，６７８号「高密度吸収性構造物（Ｈｉｇｈ−Ｄｅｎｓｉｔｙ  Ａｂｓｏｒｂｅｎｔ  Ｓｔｒｕｃｔｕｒｅｓ）」（Ｗｅｉｓｍａｎら、１９８６年９月９日発行）、米国特許第４，６７３，４０２号「二層芯を有する吸収材物品」（Ｗｅｉｓｍａｎら、１９８７年６月１６日発行）、米国特許第４，８３４，７３５号「低密度及び低坪量の獲得帯を有する高密度吸収性部材（Ｈｉｇｈ  Ｄｅｎｓｉｔｙ  Ａｂｓｏｒｂｅｎｔ  Ｍｅｍｂｅｒｓ  Ｈａｖｉｎｇ  Ｌｏｗｅｒ  Ｄｅｎｓｉｔｙ  ａｎｄ  Ｌｏｗｅｒ  Ｂａｓｉｓ  Ｗｅｉｇｈｔ  Ａｃｑｕｉｓｉｔｉｏｎ  Ｚｏｎｅｓ）」（Ａｌｅｍａｎｙら、１９８９年５月３０日発行）、米国特許第４，８８８，２３１号「ダスティング層を持つ吸収性コア」（Ａｎｇｓｔａｄｔ、１９８９年１２月１９日発行）、米国特許第５，１３７，５３７号「個別化されたポリカルボン酸架橋木材パルプセルロース繊維を含有する吸収性構造（Ａｂｓｏｒｂｅｎｔ  Ｓｔｒｕｃｔｕｒｅ  Ｃｏｎｔａｉｎｉｎｇ  Ｉｎｄｉｖｉｓｕａｌｉｚｅｄ，  Ｐｏｌｙｃａｒｂｏｘｙｌｉｃ  Ａｃｉｄ  Ｃｒｏｓｓｌｉｎｋｅｄ  Ｗｏｏｄ  Ｐｕｌｐ  Ｃｅｌｌｕｌｏｓｅ  Ｆｉｂｅｒｓ）」（Ｈｅｒｒｏｎら、１９９２年８月１１日発行）、米国特許第５，１４７，３４５号「失禁管理用吸収体」（Ｙｏｕｎｇら、１９９２年９月１５日発行）、米国特許第５，３４２，３３８号「低粘度排泄物用使い捨て吸収性物品」（Ｒｏｅ、１９９４年８月３０日発行）、米国特許第５，２６０，３４５号「水性体液用の泡状吸収剤、及びこのような素材を含んだ吸収剤製品」（ＤｅｓＭａｒａｉｓら、１９９３年１１月９日発行）、米国特許第５，３８７，２０７号「水性体液吸収用薄型吸収発泡材」（Ｄｙｅｒら、１９９５年２月７日発行）、米国特許第５，３９７，３１６号「膨張性吸収材からなり切り込みが入れられた液体吸収部」（ＬａＶｏｎら、１９９５年３月１４日発行）、米国特許第５，６２５，２２２号「非常に高い水対油比を有する高不連続相エマルジョンから製造された水性流体用の吸収性発泡材料（Ａｂｓｏｒｂｅｎｔ  Ｆｏａｍ  Ｍａｔｅｒｉａｌｓ  Ｆｏｒ  Ａｑｕｅｏｕｓ  Ｆｌｕｉｄｓ  Ｍａｄｅ  Ｆｒｏｍ  ｈｉｇｈ  Ｉｎｔｅｒｎａｌ  Ｐｈａｓｅ  Ｅｍｕｌｓｉｏｎｓ  Ｈａｖｉｎｇ  Ｖｅｒｙ  Ｈｉｇｈ  Ｗａｔｅｒ−ｔｏ−Ｏｉｌ  Ｒａｔｉｏｓ）」（ＤｅｓＭａｒａｉｓら、１９９７年７月２２日発行）に記載されている。
【００６７】
Ｄ．グラフィックの位置及び大きさ
前記不変のグラフィック及び可変のグラフィックのさまざまな配置については、図１２Ａ、１２Ｂ、及び１２Ｃに示した吸収性物品の部分断面図を参照すると理解が深まり得る。図に示した実施形態のさまざまな層は、接着剤、熱接合、機械接合、又は当業者に周知のその他の方法で固定できる。
【００６８】
図１２ａは、外側カバー４０及び身体側ライナー４２の間に挟まれている吸水性集合体４４を備えた吸収性物品の部分断面図である。図に示した外側カバー４０は、外面９０及びその反対側の内面９２を備えた単一層で構成されている。前記不変のグラフィック及び前記可変のグラフィックは外側カバー４０の上（前記外側カバーの表面９０又は９２のいずれかの上、外側カバーに面する吸水性組立物品４４の表面、又は吸水性集合体と外側カバーの間も含む）に配置することができる。外側カバー４０は、望ましくは、液体不透過性の材料で形成させる。このような実施形態において、前記可変のグラフィックが尿と接触することを誘引とする場合は、この可変のグラフィックは、外側カバーの内面９２、外側カバーに面する吸水性集合体４４の表面、又は吸水性集合体と外側カバーとの間に配置するのが望ましい。前記不変のグラフィック及び前記可変のグラフィックを同じ位置又は同一基材に配置する必要はない。
【００６９】
図１２ｂは、外側カバー４０と身体側ライナー４２との間に挟まれている吸水性集合体４４を備えた別の吸収性物品の部分断面図である。図に示した外側カバー４０は、外層９４及び内層９６より成る２層の複合材で構成されている。外側カバー４０には外面９０及びその反対側の内面９２が備わっている。前記不変のグラフィック及び可変のグラフィックは、外側カバー４０（特に、外面９０、内面９２、外層９４と内層９６の間、外層９４と内層９６のいずれか又は両方と向かい合っている表面、外側カバーに面している吸水性集合体４４の表面、又は吸水性集合体と外側カバーとの間を含む）に配置できる。
【００７０】
図１２ｃは、外側カバー４０と身体側ライナー４２の間に挟まれている吸水性集合体４４を備えた更に別の吸収性物品の部分断面図である。図に示した吸水性集合体には、吸水性集合体基材９８と９９の間に挟まれている液体収納層９７が備わっている。基材９８及び９９には、ティッシュラップシート、液体分配層、液体処理層などを含むことができる。図に示した外側カバー４０は、外面９０及びその反対側の内面９２を備えた単一層から構成されているが、その代わりに複数層の複合物から構成させることもできる。前記不変のグラフィック及び前記可変のグラフィックは、外側カバー４０（外面９０、内面９２、外側カバーとともに又は外側カバーの近くに配置された基材９９の表面、基材９９と外側カバーの間、外側カバーに面する液体収納層９７、又は液体収納層と基材９９の間など特定の位置を含む）に配置できる。さまざまな形状の吸水性集合体及び外側カバー４０を使用する場合、不変のグラフィック及び可変のグラフィックは、その他さまざまな場所にも好適であり、前記場所としては吸水性集合体の層又は外側カバーなどが挙げられるが、これらに限定されない。
【００７１】
不変のキャラクターグラフィックは、正面のウエスト部及び背部のウエスト部に沿って、又は製品の長手方向中心線付近に配置できる。特定の実施形態においては、不変のキャラクターグラフィックの正面図が正面のウエスト部に描かれており、同一の不変のキャラクターグラフィックの背面図が背部のウエスト部に描かれている。この不変のキャラクターグラフィックは、製品の第１の末端部及び第２の末端部から、例えば正面の末端部から約５センチメートルの間隔をあけて配置することができる。
【００７２】
前記可変のキャラクターグラフィックに注目が集まるように、この可変のキャラクターグラフィックは前股部に沿って又は製品の長手方向中心線付近に配置できる。ある特定の実施形態においては、可変のキャラクターグラフィックはすべて、幼児の注目を受けやすい、独特の可変のグラフィック用の領域に配置する。この可変のグラフィック領域の好適な縦寸法は、長手方向中心線と平行な方向で測定した場合で約１０センチメートル、より詳細には約９センチメートルであり、好適な横寸法は、横断方向中心線と平行な方向で測定した場合で約６センチメートルである。この可変のグラフィック領域は、例えば、製品の第１の末端部と約１３〜１６センチメートルの間隔を空けて配置してもよい。
【００７３】
前記可変のキャラクターグラフィックの数は１つ以上にすることができる。幼児への影響力を増大させるためには、可変のキャクターグラフィックを複数使用することが望ましいと考えられる。特定の実施形態においては、トレーニングパンツには３つ以上（とりわけ４〜８）の可変のキャラクターグラフィックが配置されており、とりわけ、５つのグラフィックが２−１−２のパターンで配置されている。
【００７４】
前記可変のキャラクターグラフィックの大きさは、その数及び種類にある程度左右される。一般的に、可変のキャラクターグラフィックの大きさは、約１．５センチメートル×１．５センチメートル以上、かつ約３センチメートル×３センチメートル未満、とりわけ約１．８センチメートル×１．８センチメートル以上、かつ約２．５センチメートル×２．５センチメートル未満であるのが望ましい。
【００７５】
前記不変のキャラクターグラフィック全体の大きさは、個別の可変の物体グラフィック全体よりも大幅に大きくすることができる。特定の実施形態においては、例えば、不変のキャラクターグラフィックの大きさは、全体表面積を測定した場合で、単一の可変のキャラクターグラフィックの大きさの２倍以上、より詳細には３倍以上である。不変のキャラクターグラフィックの最大縦寸法は、長手方向中央線と平行に測定した場合で、約８〜９センチメートルであるのが望ましい。
【００７６】
前記可変のキャラクターグラフィック、前記不変のキャラクターグラフィック、及び不変の物体グラフィックは外側カバーに配置するのが好適である。つまり、前記グラフィックは外側カバーの表面に直接又は間接的に形成又は適用することも、複数層の外側カバーの層の間に形成又は適用することも、外側カバーとともに又は外側カバーの近くに配置した基材に形成又は適用することも、外側カバー又は別の基材の層の中に形成又は適用することも、その他のバリエーション又は前記方法の組み合わせによって形成又は適用することもできる。特定の実施形態においては、前記グラフィックは外側カバーの層に印刷、噴霧、又は直接塗布することができる。別の実施形態においては、前記グラフィックは、外側カバー（吸収性組立体に付随の基材など）とともに配置された層、又は前記カバーの近くに配置された層に塗布することができ、前記基材としては、ティッシュ層、液体処理層、吸収性層などが挙げられるがこれらに限定されない。
【００７７】
前記不変のグラフィックは、外側カバーの外面に配置して、不変のグラフィックの視覚的効果を高めることができる。あるいは、製品の外側からこの不変のグラフィックが見える場合は、外側カバーの内面又は多層の外側カバーの層の間に配置することもできる。
【００７８】
前記可変のグラフィックは、外側カバーの内面に配置できる。この配置は、尿を誘因とする可変のグラフィックでは、グラフィックと尿が接触することによって外観が変化する速度を上げるために、特に望ましい。外側カバーには、液体不透過性を備えるように形成または処理された材料から構成させるのが望ましい。別の実施形態においては、外側カバーは少なくとも部分的に、液体不透過性を備えるように形成または処理された材料から構成させることができる。後者の場合、可変のグラフィックは多層外側カバーの間、あるいは、特に現れるグラフィックの場合は外側カバーの外面に配置できる。配置場所に関わらず、消えるグラフィックは変化する前に製品の外側から見えるようにしなければならず、現れるグラフィックは変化後に製品の外側から見えるようにしなければならない。
【００７９】
前記外側カバーは、十分な不透明度を有する半透明材料、又は尿に溶けるインクが消えた後にこのインクをマスキングするように処理を施した透明材料又は半透明材料から構成させることができる。前記外側カバーが不透明なために、外側カバーの内面に印刷したグラフィック又は内面に近接させて印刷したグラフィックが見えにくくなってはいけない。外側カバーの形成用に使用する高分子フィルムはに二酸化チタンで処理して、フィルムの外観を白くし、尿、ＢＭ、及び溶解したインクをマスキングするのに十分な不透明度が実現するようにする。好適な外側カバーの材料の例としては、ポリエチレンフィルム、ポリプロピレンフィルム、カタロイフィルム、複合フィルム、任意の高分子押し出しフィルムなどが挙げられる。このようなフィルムの１つとしては、厚さ約０．２ミリメートル（０．７５ミル）のポリエチレンフィルムが挙げられる。
【００８０】
前記不変のグラフィック及び前記可変のグラフィックは、任意の好適な技術によって、外側カバーに形成又は適用することができ、あるいは外側カバーに結合させる、又は外側カバーとともに又は外側カバーの近くに配置した別の基材に形成又は適用することができる。
【００８１】
尿との接触を誘因とする可変のグラフィックに関しては、可変のグラフィックには製品の吸収性組立体と液体伝達性を持たせることができる。吸収性集合体には、必須ではないが、スロット又は緻密化領域を設け、液体分配層などを組み込みんで、可変のグラフィックが配置されている外側カバーの近くの位置に液体を送る、又は向けることができる。
【００８２】
前述したように、前記可変のグラフィックの形成には溶解性インクを使用できる。溶解したインクが前記外側カバーから前記吸水性集合体に移動することによってこの可変のグラフィックの退色効果又は消失効果が向上することは、理論づけられている。この効果を向上させるために、窓あきデザインで外側カバーを吸水性集合体に接着させ、それによって外側カバーの可変のグラフィック部を吸水性集合体に結合させずに、可変のグラフィックを囲む外側カバーの部分を吸水性集合体に結合させることができる。窓あきデザインで外側カバーに吸水性集合体を結合させる好適な方法及び装置の１つは、１９９７年１１月４日にＰｏｐｐらに発行された米国特許第５，６８３，７５２号に公開されており、この特許は本明細書に参考として組み込まれている。
【００８３】
本発明と併用される可能性のあるその他の機能
Ａ．締結装置
前述したように、図示したトレーニングパンツ２０には、吸水性シャーシの両側に配置された側面パネル３４が備わっている。図示した実施形態においては、横断方向で向かい合っている一対の側面パネル３４は、吸水性シャーシ３２と永続結合しており、接着接合、熱接合、又は超音波接合など当業者に周知の接着方法によって相互に永続接合させてよい。このような設計によって、物品をトレーニングパンツとして使用できるようになる。トレーニングパンツ（当該技術分野において「プルオン」製品とも呼ばれている）は、着用者の脚を脚部開口部に挿入して、トレーニングパンツを着用者の胴体下部周囲の位置へと滑らせることによって、着用者の適所に配置する。好適なトレーニングパンツは、１９９３年９月２１日にＨａｓｓｅらに発行された米国特許第５，２４６、４３３号、１９９６年１０月２９日にＢｕｅｌｌらに発行された米国特許第５，５６９，２３４号、２０００年９月１９日にＡｓｈｔｏｎに発行された米国特許第６，１２０，４８７号、２０００年９月１９日にＪｏｈｎｓｏｎらに発行された米国特許第６，１２０，４８９号、１９９０年７月１０日にＶａｎ  Ｇｏｍｐｅｌらに発行された米国特許第４，９４０，４６４号、及び１９９２年３月３日にＮｏｍｕｒａらに発行された米国特許第５，０９２，８６１号に開示されており、そのそれぞれの開示内容は参考として本明細書に組み込まれている。
【００８４】
しかし、一般的には、おむつにさまざまな締結装置を含んでよい。締結装置は、おむつの周囲に横断方向の張力を加えておむつを着用者に固定する形状で、第１のウエスト部及び第２のウエスト部を固定するものが望ましい。締結装置には、テープタブ、フック、及びループ止め部品などの表面締結具、及び／又は相反する性質を有する固定部品を含めてもよいが、その他周知の締結方法も一般的に適用できる。表面締結装置の例としては、米国特許第３，８４８，５９４号「使い捨ておむつ用テープ締結装置（Ｔａｐｅ  Ｆａｓｔｅｎｉｎｇ  Ｓｙｓｔｅｍ  ｆｏｒ  Ｄｉｓｐｏｓａｂｌｅ  Ｄｉａｐｅｒ）」（Ｂｕｅｌｌ、１９７４年１１月１９日発行）、米国特許第Ｂ１４，６６２，８７５号「吸水材物品」（Ｈｉｒｏｔｓｕら、１９８７年５月５日発行）、米国特許第４，８４６，８１５号「改良された留め具用具を有する使い捨ておむつ（Ｄｉｓｐｏｓａｂｌｅ  Ｄｉａｐｅｒ  Ｈａｖｉｎｇ  Ａｎ  Ｉｍｐｒｏｖｅｄ  Ｆａｓｔｅｎｉｎｇ  Ｄｅｖｉｃｅ）」（Ｓｃｒｉｐｐｓ、１９８９年７月１１日発行）、米国特許第４，８９４，０６０号名称「改良されたかぎファスナー部分を用いた使い捨ておむつ（Ｄｉｓｐｏｓａｂｌｅ  Ｄｉａｐｅｒ  Ｗｉｔｈ  Ｉｍｐｒｏｖｅｄ  Ｈｏｏｋ  Ｆａｓｔｅｎｅｒ  Ｐｏｒｔｉｏｎ）」（Ｎｅｓｔｅｇａｒｄ、１９９０年１月１６日発行）、米国特許第４，９４６，５２７号「感圧性接着剤付きファスナー及びその製法」（Ｂａｔｔｒｅｌｌ、１９９０年８月７日発行）、本明細書ですでに引用済みの米国特許第５，１５１，０９２号（Ｂｕｅｌｌ、１９９２年９月９日発行）、及び米国特許第５，２２１，２７４号（Ｂｕｅｌｌ、１９９３年６月２２日発行）らに公開されている。連結締結装置の例は、１９９８年８月８日にＫｌｉｎｅらが申請した同係属中の米国特許出願第０９／１４３，１８４号「吸収性物品の締結装置（Ａｂｓｏｒｂｅｎｔ  Ａｒｔｉｃｌｅ  Ｆａｓｔｅｎｉｎｇ  Ｄｅｖｉｃｅ）」に公開されている。１９９０年１０月１６日にＲｏｂｅｒｔｓｏｎらに発行された米国特許第４，６９３，１４０号に公開されているように、締結装置によって物品を廃棄形状に固定する手段が提供されてもよい。締結装置には第１及び第２の締結装置を含んでもよい。重複部分のずれを減少させるためのものは、米国特許第４，６９９，６２２号「改良された横閉鎖具を有する使い捨ておむつ」（Ｔｏｕｓｓａｎｔら、１９８７年１０月１３日発行）に公開されている。又は、密着度の向上を目的とするものは、米国特許第５，２４２，４３６号「動的着用適合性に優れる弾力化腰バンド係着装置付吸水用品」（Ｗｅｉｌら、１９９３年９月７日発行）、米国特許第５，４９９，９７８号「弾性屈曲ヒンジを有し、動的伸縮ウエスト機能を備える吸収性物品（Ａｂｓｏｒｂｅｎｔ  Ａｒｔｉｃｌｅ  Ｗｉｔｈ  Ｄｙｎａｍｉｃ  Ｅｌａｓｔｉｃ  Ｗａｉｓｔ  Ｆｅａｔｕｒｅ  Ｈａｖｉｎｇ  Ａ  Ｐｒｅｄｉｓｐｏｓｅｄ  Ｒｅｓｉｌｉｅｎｔ  Ｆｌｅｘｕｒａｌ  Ｈｉｎｇｅ）」（Ｂｕｅｌｌら、１９９６年３月１９日発行）、米国特許第５，５０７，７３６号「高価な腹部パネルを含み、動的伸縮ウエスト機能を備える吸収性物品（Ａｂｓｏｒｂｅｎｔ  Ａｒｔｉｃｌｅ  Ｗｉｔｈ  Ｄ��ｎａｍｉｃ  Ｅｌａｓｔｉｃ  Ｗａｉｓｔ  Ｆｅａｔｕｒｅ  Ｃｏｍｐｒｉｓｉｎｇ  Ａｎ  Ｅｘｐａｎｓｉｖｅ  Ｔｕｍｍｙ  Ｐａｎｅｌ）」（Ｃｌｅａｒら、１９９６年４月１６日発行）、米国特許第５，５９１，１５２号「前もって撥ね返る屈曲ヒンジを持つダイナミックな弾力的ウエストの形態を備えた吸収性品目」（Ｂｕｅｌｌら、１９９７年１月７日発行）に公開されている。
【００８５】
Ｂ．密閉フラップ
体からの排出物の密閉及び／又は吸収を更に強化するために、トレーニングパンツ２０には密閉フラップが備わっており、このフラップによって体からの排出物が横断方向に流れるのを防ぐ。この密閉フラップに好適な構造及び配置は一般的に当業者に周知であり、米国特許第４，７０４，１１６号（Ｅｎｌｏｅ、１９８７年１１月３日発行）、米国特許第４，８０８，１７８号（Ａｚｉｚら、１９８９年２月２８日発行）、米国特許第３，８６０，００３号（Ｂｕｅｌｌ、１９７５年１月１４日発行）、米国特許第４，６９５，２７８号（Ｌａｗｓｏｎ、１９８７年９月２２日発行）、米国特許第４，７９５，４５４号（Ｄｒａｇｏｏ、１９８９年１月３日発行）に記載されている。
【００８６】
更に、前記密閉フラップをシャーシに付けてもよい典型的かつ非限定的な方法は、米国特許出願第１０／４３４，３７８号に公開されている。最後に、前記密閉フラップを構成させる典型的かつ非限定的な方法（連続的なカフ材から作る方法、単一の連続的結合を利用して作る方法など）は、米国特許出願第１０／８２４，１２１号及び第１０／８２４，１２２号に公開されている。
【００８７】
Ｃ．伸縮部材
当業者には周知のように、体からの排出物の密閉及び／又は吸収を更に強化するために、トレーニングパンツ２０には、ウエスト正面の伸縮部材、ウエスト背部の伸縮部材、及び脚部の伸縮部材（図示なし）を搭載することができる。ウエスト部の伸縮部材及び脚部の伸縮部材は、トレーニングパンツ２０の外側カバー４０及び／又は身体側ライナー４２に結合させることもできる。密閉フラップの伸縮部材、ウエスト部の伸縮部材、及び脚部の伸縮部材は、任意の好適な伸縮部材によって形成させることができる。当業者には周知のように、好適な伸縮部材としては、天然ゴム、合成ゴム、ポリエステル系熱可塑性のシート、ストランド、又はリボンが挙げられる。伸縮部材は、伸縮して基材に密着したり、ギャザー付き基材に密着したり、あるいは基材に密着してから、例えば、伸縮力が基材にかかるように熱を加えて伸長又は収縮するようにしたりできる。ある特定の実施形態においては、例えば、脚部の伸縮部材は、デラウェア州ウィルミントンのＥ．Ｉ．  Ｄｕｐｏｎｔ  ｄｅ  Ｎｅｍｏｕｒｓ  ａｎｄ  ＣｏｍｐａｎｙからＬｙｃｒａ（商標）の名称で販売されている複数のドライスパン結合多繊維スパンデックス伸縮性糸から構成されている。別の実施形態においては、好適な伸縮性部材は、断面が０．１８ｍｍ×１．５ｍｍであるとともに、バージニア州スチュアートのＥａｓｔｈａｍｐｔｏｎ  Ｒｕｂｂｅｒ  ＣｏｍｐａｎｙによりＬ−１９００ゴム化合物の商標で販売されている天然ゴムから作られる。その他の好適な伸縮部材は、ロードアイランド州ミドルタウン所在のＦｕｌｆｌｅｘ  ＣｏｍｐａｎｙによりＦｕｌｆｌｅｘ  ９４１１の商標のもとで販売されている伸縮テープなどの天然ゴムから作ることができる。また、伸縮部材には、当該技術分野において周知のすべての熱伸縮材を含んでよい。その他の好適な伸縮材には、エラストマーフィルム、ポリウレタンフィルム、エラストマー発泡体、伸縮性成形スクリム及び合成エラストマー（例えばＬｙｃｒａ（商標））など、当該技術分野において周知の多種多様な材料を含んでよい。更に、伸縮部材は多くの形体を取ることができる。例えば、幅を変えることができ、伸縮材の単一ストランドあるいはいくつかの平行又は非平行ストランドを使用でき、あるいは直線及び曲線状などのさまざまな形状を持たせたものを使用できる。
【００８８】
Ｄ．センサー
さまざまな特徴（温度、湿度、特定物質の有無）を検出するために、バイオセンサーを使用してもよい。このような例の１つとして、濡れた感触のするライナー、又は冷たい感触のするライナーの使用が挙げられる。濡れた感触のするライナー及びその他の同種の製品は、米国特許第６，６４２，４２７号、米国特許第６，６２７，７８６号、米国特許出願第２００３／１９９８４５Ａ１号、及び米国特許出願第１０／６９７，２２５号に記載されている。
【００８９】
実際、本明細書では、濡れた感触を示す表示と、誘引反応を伝える可変のキャラクターグラフィックを併用してもよいと考えられる。例えば、幼児が濡れた感触のするライナーによって濡れたことを感じた場合、可変のキャラクターグラフィック８２０は、擬人化した特徴（笑顔、傘を持っている、ゴム長靴を履いているなど。図１３を参照）を有するゴムのアヒルの形態にしてもよい。可変のキャラクターグラフィックは、特定の誘引反応を示すために特定の色になる／又は変化する（糞便を検知せずに尿を検知した場合は黄色、糞便を検知した場合は茶色）ようにすることもできる。
【００９０】
その他の種類のセンサーとしては、脱水指示器、乾燥指示器、微生物用バイオセンサー、皮膚健康状態センサーが挙げられる。
【００９１】
加えて、誘引反応を更に伝えるために警報（警報音など）も使用してもよい。
【００９２】
Ｅ．ローション
トレーニングパンツのさまざまな部分の性能またはその他の機能を追加、改善、又は変更するために、ローション又はその他の既知の物質を使用してもよい。例えば、トップシートの任意の部分を当該技術分野で周知のローションでコーティングしてもよい。好適なローションの例は、米国特許第５，６０７，７６０号「便の清掃が容易なローション被覆付きのおむつ」（Ｒｏｅ、１９９７年３月４日発行）、米国特許第５，６０９，５８７号「ポリエステル緩和剤と固定剤からなるローション剤付上部シートを有する生理用ナプキン」（Ｒｏｅ、１９９７年３月１１日発行）、米国特許第５，６３５，１９１号「皮膚緩和剤としてポリシロキサンを含有するローションを塗布した上部シートを有するおむつ」（Ｒｏｅら、１９９７年６月３日発行）、米国特許第５，６４３，５８８号「ローション化トップシートよりなるおむつ」（Ｒｏｅら、１９９７年７月１日発行）、米国特許第５，９６８，０２５号「ローションを含んだ頂部シートを備える吸水物質」（Ｒｏｅら、１９９９年１０月１９日発行）、及び米国特許第６，７１６，４４１号「有効成分を効率的に放出するための配合（Ｃｏｍｐｏｓｉｔｉｏｎｓ  ｆｏｒ  ｔｈｅ  ｅｆｆｉｃｉｅｎｔ  ｒｅｌｅａｓｅ  ｏｆ  ａｃｔｉｖｅ  ｉｎｇｒｅｄｉｅｎｔｓ）」（Ｏｓｂｏｒｎｅ、２００４年４月６日発行）らに記載されている。ローションは単独で、又は前述の疎水化処理剤など他の薬剤と組み合わせて機能させてもよい。トップシートには、抗菌剤を含有させても、抗菌剤によって処理を施してもよく、このような例は、ＰＣＴ公開番号ＷＯ９５／２４１７３号「臭気制御のためトップシートの中に抗菌剤を含有している吸収性製品（Ａｂｓｏｒｂｅｎｔ  Ａｒｔｉｃｌｅｓ  Ｃｏｎｔａｉｎｉｎｇ  Ａｎｔｉｂａｃｔｅｒｉａｌ  Ａｇｅｎｔｓ  ｉｎ  ｔｈｅ  Ｔｏｐｓｈｅｅｔ  Ｆｏｒ  Ｏｄｏｒ  Ｃｏｎｔｒｏｌ）」（Ｔｈｅｒｅｓａ  Ｊｏｈｎｓｏｎ、１９９５年９月１４日公開）に公開されている。更に、トップシート、バックシート、又はトップシートもしくはバックシートの任意の部分には、より布に近い外観を持たせるためにエンボス加工及び／又はつや消し加工を施してもよい。
【００９３】
全ての引用文書は、関連部分において本明細書に参考として組み込まれており、任意の文書の引用は、それが本発明に関して先行技術であるということの承認として解釈すべきではない。
【００９４】
本発明の特定の実施形態について説明し記載したが、本発明の精神及び範囲から逸脱することなく他の様々な変更及び修正が可能であることは当業者には明白である。したがって、本発明の範囲内にある前記変更及び修正の全てを、添付の特許請求の範囲で扱うものとする。
【００９５】
例えば、図１４ａ及び１４ｂには本発明の代表的かつ非限定的な追加の実施形態が示されており、この実施形態では、物体グラフィックが付いておらず、不変のキャラクターグラフィック及び可変のキャラクターグラフィックによってトイレトレーニングの筋書きを伝えるようになっている。より詳しく言うと、不変のキャラクターグラフィック９００ａの内容は可変のキャラクターグラフィック９２０ａと、不変のキャラクターグラフィック９００ｂの内容は可変のキャラクターグラフィック９２０ｂと（それぞれ図１４ａ及び１４ｂを参照）関連性がある。このような形で、効果的でありながら価格の低いおむつ（インクの使用量が少ないなど）を実現させてもよい。更に、幼児がトイレトレーニングについて理解しやすいトイレトレーニング用おむつ（トイレトレーニングプロセスで幼児に説明しやすいように、使用グラフィックの数を少なくしたおむつなど）を提供してもよい。従って当業者であれば、可変のキャラクターグラフィックと不変のグラフィック（キャラクター又は物体のいずれか）を組み合わせて配置しさえすれば、効果的なトイレトレーニング用おむつを提供できることを認識するであろう。
【図面の簡単な説明】
【００９６】
【図１】本発明の原理が組み込まれたトレーニングパンツの正面斜視図であり、不変のグラフィック及び可変のグラフィックの双方が示されている。
【図２】図１のトレーニングパンツの背面斜視図。
【図３】図１及び図２のトレーニングパンツを部分的に分解し、伸ばして平らな状態にし、説明のために部分的に切り取った上面図。
【図４】図１と同様に正面斜視図であるが、不変のグラフィックのみが描かれている。
【図５Ａ】本発明の原理が組み込まれたトレーニングパンツのその他の実施形態の正面斜視図。
【図５Ｂ】図５ａのトレーニングパンツの背面斜視図。
【図６Ａ】本発明の原理が組み込まれたトレーニングパンツのその他の実施形態の正面斜視図。
【図６Ｂ】図６ａのトレーニングパンツの背面斜視図。
【図７Ａ】本発明の原理が組み込まれたトレーニングパンツのその他の実施形態の正面斜視図。
【図７Ｂ】図７ａのトレーニングパンツの背面斜視図。
【図８Ａ】本発明の原理が組み込まれたトレーニングパンツのその他の実施形態の正面斜視図。
【図８Ｂ】図８ａのトレーニングパンツの背面斜視図。
【図９Ａ】本発明の原理が組み込まれたトレーニングパンツのその他の実施形態の正面斜視図。
【図９Ｂ】図９ａのトレーニングパンツの背面斜視図。
【図１０Ａ】本発明の原理が組み込まれたトレーニングパンツのその他の実施形態の正面斜視図。
【図１０Ｂ】図１０ａのトレーニングパンツの背面斜視図。
【図１１Ａ】本発明の原理が組み込まれたトレーニングパンツのその他の実施形態の正面斜視図。
【図１１Ｂ】図１１ａのトレーニングパンツの背面斜視図。
【図１２Ａ】本発明による吸収性物品のさまざまな部分断面図。
【図１２Ｂ】本発明による吸収性物品のさまざまな部分断面図。
【図１２Ｃ】本発明による吸収性物品のさまざまな部分断面図。
【図１３】本発明の原理が組み込まれたトレーニングパンツのその他の実施形態の正面斜視図。
【図１４Ａ】本発明の原理が組み込まれたトレーニングパンツの他の実施形態の正面斜視図。
【図１４Ｂ】本発明の原理が組み込まれたトレーニングパンツの他の実施形態の正面斜視図。
【図１】
2008507377.tif 000003
【図２】
2008507377.tif 000004
【図３】
2008507377.tif 000005
【図４】
2008507377.tif 000006
【図５ａ】
2008507377.tif 000007
【図５ｂ】
2008507377.tif 000008
【図６ａ】
2008507377.tif 000009
【図６ｂ】
2008507377.tif 000010
【図７ａ】
2008507377.tif 000011
【図７ｂ】
2008507377.tif 000012
【図８ａ】
2008507377.tif 000013
【図８ｂ】
2008507377.tif 000014
【図９ａ】
2008507377.tif 000015
【図９ｂ】
2008507377.tif 000016
【図１０ａ】
2008507377.tif 000017
【図１０ｂ】
2008507377.tif 000018
【図１１ａ】
2008507377.tif 000019
【図１１ｂ】
2008507377.tif 000020
【図１２ａ】
2008507377.tif 000021
【図１２ｂ】
2008507377.tif 000022
【図１２ｃ】
2008507377.tif 000023
【図１３】
2008507377.tif 000024
【図１４ａ】
2008507377.tif 000025
【図１４ｂ】
2008507377.tif 000026
【国際調査報告】
2008507377.tif 000027
2008507377.tif 000028
2008507377.tif 000029